(57)【要約】【課題】  画像情報に基づく画像が記録材に印刷されたあとに追加の設定が行われた場合でも、追加の設定が前記記録材に反映されるようにする。【解決手段】  印刷装置は、第１の画像情報に基づく画像を第１の記録材に印刷する印刷手段と、追加の設定を受け付ける設定手段とを有する。印刷手段は、前記第１の画像情報に基づく画像が印刷された前記第１の記録材に、前記追加の設定に対応する第２の画像情報に基づく画像を印刷する。さらに、前記印刷手段は、前記第１の画像情報と前記第２の画像情報とに基づく画像を前記第１の記録材とは異なる第２の記録材に印刷する。【選択図】  図１０
2013236179.tif 000002
【特許請求の範囲】
【請求項１】
第１の画像情報に基づく画像を第１の記録材に印刷する印刷手段と、
追加の設定を受け付ける設定手段を有し、
前記印刷手段はさらに、前記第１の画像情報に基づく画像が印刷された前記第１の記録材に、前記追加の設定に対応する第２の画像情報に基づく画像を印刷し、
前記印刷手段はさらに、前記第１の画像情報と前記第２の画像情報とに基づく画像を前記第１の記録材とは異なる第２の記録材に印刷することを特徴とする印刷装置。
【請求項２】
原稿の画像を読み取る読取手段を有し、
前記第１の画像情報は、前記読取手段で読み取った画像から生成されることを特徴とする請求項１に記載の印刷装置。
【請求項３】
印刷データを外部装置から受信する受信手段を有し、
前記第１の画像情報は、前記受信手段で受信された印刷データから生成されることを特徴とする請求項１に記載の印刷装置。
【請求項４】
前記読取手段はさらに、前記第１の画像情報に基づく画像が印刷された前記第１の記録材の画像を読み取り、
前記印刷装置はさらに、
前記第１の画像情報と、前記読取手段で読み取った前記第１の記録材の画像から生成される第３の画像情報とが対応するかを判断する判断手段と、
前記第１の画像情報と、前記読取手段で読み取った前記第１の記録材の画像から生成される第３の画像情報とが対応しない場合、前記第１の記録材をセットするようユーザに促すメッセージを表示する表示手段を有することを特徴とする請求項２に記載の印刷装置。
【請求項５】
印刷結果を予め確認するための確認印刷が指定されている場合、前記印刷手段は、前記第１の画像情報に基づく画像と前記第２の画像情報に基づく画像を印刷し、
印刷結果を予め確認するための確認印刷が指定されていない場合、前記印刷手段は、前記第１の画像情報に基づく画像を印刷し、前記第２の画像情報に基づく画像を印刷しないことを特徴とする請求項１乃至４のいずれか１項に記載の印刷装置。
【請求項６】
前記第１の画像情報に基づく画像が印刷された前記第１の記録材を前記読取手段に搬送する第１の搬送手段と、
前記第１の画像情報に基づく画像が印刷された前記第１の記録材を前記読取手段から前記印刷手段に搬送する第２の搬送手段を有することを特徴とする請求項２に記載の印刷装置。
【請求項７】
原稿の画像を読み取る読取手段と、
設定を受け付ける設定手段と、
前記読み取り手段で読み取った画像から生成される第１の画像情報と前記設定手段で受け付けた設定に対応する第２の画像情報とに基づく画像を、記録材に印刷する印刷手段を有し、
前記印刷手段はさらに、前記第２の画像情報に基づく画像を前記原稿に印刷することを特徴とする印刷装置。
【請求項８】
前記原稿を前記読取手段に搬送する第１の搬送手段と、
前記原稿を前記読取手段から前記印刷手段に搬送する第２の搬送手段と、
前記記録材を前記印刷手段に搬送する第３の搬送手段を有することを特徴とする請求項７に記載の印刷装置。
【請求項９】
記録材に画像を印刷手段に印刷させる印刷方法であって、
第１の画像情報に基づく画像を第１の記録材に前記印刷手段に印刷させる第１の印刷ステップと、
追加の設定を受け付ける設定ステップと、
前記第１の画像情報に基づく画像が印刷された前記第１の記録材に、前記追加の設定に対応する第２の画像情報に基づく画像を前記印刷手段に印刷させる第２の印刷ステップと、
前記第１の画像情報と前記第２の画像情報とに基づく画像を前記第１の記録材とは異なる第２の記録材に前記印刷手段に印刷させる第３の印刷ステップを有することを特徴とする印刷方法。
【請求項１０】
原稿の画像を読取手段に読み取らせる読取ステップと、
前記読取手段で読み取った画像から前記第１の画像情報を生成する生成ステップを有することを特徴とする請求項９に記載の印刷方法。
【請求項１１】
外部装置から受信した印刷データから前記第１の画像情報を生成する生成ステップを有することを特徴とする請求項９に記載の印刷方法。
【請求項１２】
前記第１の画像情報に基づく画像が印刷された前記第１の記録材の画像を前記読取手段に読み取らせる第２の読取ステップと、
前記第１の画像情報と、読み取った前記第１の記録材の画像から生成される第３の画像情報とが対応するかを判断する判断ステップと、
前記第１の画像情報と、読み取った前記第１の記録材の画像から生成される第３の画像情報とが対応しない場合、前記第１の記録材をセットするようユーザに促すメッセージを表示手段に表示させる表示ステップを有することを特徴とする請求項２に記載の印刷方法。
【請求項１３】
印刷結果を予め確認するための確認印刷が指定されている場合、前記第１の印刷ステップ、前記第２の印刷ステップ、前記第３の印刷ステップを実行し、
印刷結果を予め確認するための確認印刷が指定されていない場合、前記第１の印刷ステップを実行し、前記第２の印刷ステップと前記第３の印刷ステップを実行しないことを特徴とする請求項９乃至１２のいずれか１項に記載の印刷方法。
【請求項１４】
前記第１の画像情報に基づく画像が印刷された前記第１の記録材を前記読取手段に搬送させてから、当該第１の記録材を前記読取手段から前記印刷手段に搬送することを特徴とする請求項１０に記載の印刷方法。
【請求項１５】
記録材に画像を印刷手段に印刷させる印刷方法であって、
原稿の画像を読取手段に読み取らせる読取ステップと、
設定を受け付ける設定ステップと、
記録材に、読み取った画像から生成される第１の画像情報と受け付けた設定に対応する第２の画像情報とに基づく画像を前記印刷手段に印刷させる第１の印刷ステップと、
前記原稿に、前記第２の画像情報に基づく画像を前記印刷手段に印刷させる第２の印刷ステップを有することを特徴とする印刷方法。
【請求項１６】
前記原稿を前記読取手段に搬送してから、当該原稿を前記読取手段から前記印刷手段に搬送させることを特徴とする請求項１５に記載の印刷方法。
【請求項１７】
印刷方法を制御するプログラムであって、請求項９に記載の印刷方法をコンピュータに実行させるプログラム。
【請求項１８】
印刷方法を制御するプログラムであって、請求項１５に記載の印刷方法をコンピュータに実行させるプログラム。
【発明の詳細な説明】
【技術分野】
【０００１】
本発明は、印刷装置、印刷方法、及び印刷方法を制御するプログラムに関するものである。
【背景技術】
【０００２】
給紙部から排紙部に至る用紙の搬送経路中に印刷手段と画像読取手段を配置した画像形成装置が存在する（特許文献１）。この画像形成装置では、原稿の搬送経路と印刷用紙の搬送経路とが搬送経路を共有している。
【先行技術文献】
【特許文献】
【０００３】
【特許文献１】特開２０００−１８５８８１号公報
【発明の概要】
【発明が解決しようとする課題】
【０００４】
従来の画像形成装置では、画像情報に基づく画像が記録材に印刷されたあとに追加の設定が行われた場合、前記記録材には、追加の設定が反映されなかった。そのため、追加の設定が反映されなかった記録材は無用になっていた。
また、従来の画像形成装置では、原稿の画像を読み取って、原稿の画像とユーザによって行われた設定に基づく画像とを記録材に印刷する場合、その設定は原稿には反映されなかった。
【課題を解決するための手段】
【０００５】
本発明に係る印刷装置は、第１の画像情報に基づく画像を第１の記録材に印刷する印刷手段と、追加の設定を受け付ける設定手段を有し、前記印刷手段はさらに、前記第１の画像情報に基づく画像が印刷された前記第１の記録材に、前記追加の設定に対応する第２の画像情報に基づく画像を印刷し、前記印刷手段はさらに、前記第１の画像情報と前記第２の画像情報とに基づく画像を前記第１の記録材とは異なる第２の記録材に印刷することを特徴とする。
また、本発明に係る印刷装置は、原稿の画像を読み取る読取手段と、設定を受け付ける設定手段と、前記読み取り手段で読み取った画像から生成される第１の画像情報と前記設定手段で受け付けた設定に対応する第２の画像情報とに基づく画像を、記録材に印刷する印刷手段を有し、前記印刷手段はさらに、前記第２の画像情報に基づく画像を前記原稿に印刷することを特徴とする。
【発明の効果】
【０００６】
本発明では、画像情報に基づく画像が記録材に印刷されたあとに追加の設定が行われた場合でも、追加の設定が前記記録材に反映されるようにする。
また、原稿の画像を読み取って、原稿の画像とユーザによって行われた設定に基づく画像とを記録材に印刷する場合でも、その設定が原稿に反映されるようにする。
【図面の簡単な説明】
【０００７】
【図１】本発明に係る印刷装置の一例である画像形成装置１の断面図を示す図である。
【図２】両面印刷のプロセスを説明するための図である。
【図３】原稿の第１面の読み取りを説明するための図である。
【図４】原稿の第１面の読み取りの終了時を説明するための図である。
【図５】原稿の第２面の読み取りを説明するための図である。
【図６】原稿の第２面の読み取りの終了時を説明するための図である。
【図７】原稿の第１面の画像情報に基づく画像形成を説明するための図である。
【図８】画像形成装置１の電装８００を示すブロック図である。
【図９】画像読取部１００の詳細を説明する図である。
【図１０】画像形成装置１で実行される処理のフローチャートである。
【図１１】コピーのための設定画面の一例を示す図である。
【図１２】確認印刷中であることを示す画面の一例である。
【図１３】確認画面の一例を示す図である。
【図１４】操作部８０５の一例を示す図である。
【図１５】画像情報に基づく画像を原稿に印刷することを説明するための図である。
【図１６】画像形成装置１で実行される処理のフローチャートである。
【図１７】外部装置で表示される設定画面の一例を示す図である。
【図１８】警告画面の一例を示す図である。
【図１９】画像形成装置１で実行される処理のフローチャートである。
【図２０】画像形成装置１で実行される処理のフローチャートである。
【図２１】警告画面の一例を示す図である。
【図２２】画像形成装置１で実行される処理のフローチャートである。
【発明を実施するための形態】
【０００８】
以下、図面を用いて本発明に係る実施形態を説明する。
【０００９】
図１は、本発明に係る印刷装置の一例である画像形成装置１の断面図を示す図である。画像形成装置１内には、感光ドラム１０と現像ローラ１１が配置されている。感光ドラム１０は、回転可能な像担持体である。現像ローラ１１は感光ドラム１０と並接し、トナーを保持しながら回転する。光学ユニット２が印刷信号を受信すると、発光部２１は、回転する感光ドラム１０の表面にレーザ光を照射する。レーザ光を照射された感光ドラム１０の表面には、電荷による潜像画像が形成される。現像ローラ１１が回転しながら、感光ドラム１０の表面に形成された潜像画像にトナーを供給すると、感光ドラム１０の表面にはトナー画像が形成される。
【００１０】
第１給紙部３０は、用紙やＯＨＰシートなどの記録材を収納する。第１給紙部３０に収納されていた記録材Ｓは、ＣＳＴピックアップローラ３１と分離手段３２によって一枚ずつ搬送ローラ４０に搬送される。図１において、太い線の矢印は記録材Ｓと記録材Ｓの進行方向とを示す。搬送ローラ４０は感光ドラム１０の表面上にあるトナー画像と記録材Ｓの先端とが合うようにタイミングを調整して、記録材Ｓを転写部１５へ搬送する。
【００１１】
トナー画像は感光ドラム１０の回転によって転写部１５の方に向かい、転写部１５に付与される印加バイアスと圧力とによって記録材Ｓに転写される。転写部１５は記録材Ｓを定着部５０に搬送する。定着部５０では、回転可能な加熱ローラ５１と回転可能な加圧ローラ５２とが対向していて、加熱ローラ５１からの熱と加圧ローラ５２による圧力とがトナー画像を記録材Ｓに定着させる。トナー画像が定着された記録材Ｓは排紙ローラ６０に搬送される。片面印刷の場合には、排紙ローラ６０は記録材Ｓを機外へ搬送し、記録材Ｓは第１排紙部７０に積載される。
【００１２】
図２は両面印刷のプロセスを説明するための図である。記録材Ｓの後端が両面フラッパ６１を通過した後、両面フラッパ６１は搬送路を切り替える。その後、排紙ローラ６０は逆回転をし始め、記録材Ｓを両面搬送路８０へ搬送する。記録材Ｓは搬送ローラ４１によって画像読取部１００に搬送される。その後、記録材Ｓは搬送ローラ４２及び搬送ローラ４０によって再び転写部１５に搬送される。記録紙Ｓに対してトナー画像の転写及び定着が行われた後、両面印刷が施された記録紙Ｓは第１排紙部７０に積載される。
【００１３】
図３は原稿の第１面の読み取りを説明するための図である。図３において、太い線の矢印は原稿Ｇと原稿Ｇの進行方向とを示す。第２給紙部９０に収納されていた原稿Ｇは、ＣＩＳピックアップローラ９１と分離手段９２によって一枚ずつ搬送ローラ４１に搬送される。画像読取部１００は、原稿Ｇの第１面の読み取りを開始する前に、白基準部材１０１へ発光し、白基準値の修正を実施する。その後、画像読取部１００は両面搬送路８０に対面する位置に回転する。搬送ローラ４１は原稿Ｇを画像読取部１００に搬送する。両面搬送路８０に対面する位置に待機していた画像読取部１００は原稿Ｇの第１面を読み取り、読み取られた画像情報は原稿Ｇの第１面の画像情報として画像メモリに記憶される。白基準部材１０１は下向きに配置されていて、ごみ付着に対する配慮がなされている。
【００１４】
図４は原稿の第１面の読み取りの終了時を説明するための図である。画像読取部１００を通過した原稿Ｇは搬送ローラ４２に搬送される。搬送ローラ４２は、原稿Ｇの後端がスイッチバックフラッパ８２を通過した時点で停止する。このとき、原稿Ｇは搬送ローラ４２に挟持された状態で停止している。所定時間の経過後、搬送ローラ４２は原稿Ｇを原稿搬送路８１に搬送する。この所定時間のあいだに、スイッチバックフラッパ８２は搬送路を両面搬送路８０から原稿搬送路８１に切り替える。
【００１５】
図５は原稿の第２面の読み取りを説明するための図である。スイッチバックフラッパ８２が原稿Ｇの搬送路を両面搬送路８０から原稿搬送路８１に切り替えると同時に、画像読取部１００は原稿搬送路８１に対面する位置に回転する。搬送ローラ４２は逆回転をし始め、原稿搬送路８１を介して原稿Ｇを画像読取部１００に搬送する。原稿Ｇが画像読取部１００を通過するときに、画像読取部１００は原稿Ｇの第２面を読み取り、読み取られた画像情報は原稿Ｇの第２面の画像情報として画像メモリに記憶される。
【００１６】
一方、第１給紙部３０に収納されていた記録紙Ｓは一枚ずつ搬送ローラ４０に搬送される。ほぼ同時に、発光部２１は、画像メモリに記憶された原稿Ｇの第２面の画像情報に基づいてレーザ光を感光ドラム１０の表面に照射し、原稿Ｇの第２面の画像情報に基づく潜像画像が感光ドラム１０の表面に形成される。転写部１５は、潜像画像により形成されたトナー画像を記録材Ｓに転写し、定着部５０はトナー画像を記録材Ｓに定着して、原稿Ｇの第２面の画像情報に基づく画像形成が完了する。図５では、原稿の第２面の読み取りの開始とともに記録材Ｓの搬送が開始されているが、原稿の第２面の読み取りの後に記録材Ｓの搬送が開始されてもよい。
【００１７】
図６は原稿の第２面の読み取りの終了時を説明するための図である。原稿Ｇは搬送ローラ４３及び搬送ローラ４４によって機外へ搬送され、第２排紙部１１０に積載される。原稿Ｇの後端がスイッチバックフラッパ８２を通過すると、スイッチバックフラッパ８２は、記録材Ｓが搬送ローラ４０に搬送されるように、搬送路を原稿搬送路８１から両面搬送路８０へ切り替える。
【００１８】
図７は原稿の第１面の画像情報に基づく画像形成を説明するための図である。記録材Ｓの後端が両面フラッパ６１を通過した後、両面フラッパ６１は搬送路を切り替える。その後、排紙ローラ６０は逆回転をし始め、記録材Ｓを両面搬送路８０へ搬送する。両面搬送路８０に搬送された記録材Ｓは画像読取部１００を通過し、搬送ローラ４２によって搬送ローラ４０に搬送され、搬送ローラ４０によって転写部１５に搬送される。図７において、破線の矢印はその様子を示している。発光部２１は、画像メモリに記憶された原稿Ｇの第１面の画像情報に基づいてレーザ光を感光ドラム１０の表面に照射し、原稿Ｇの第１面の画像情報に基づく潜像画像が感光ドラム１０の表面に形成される。転写部１５は、潜像画像により形成されたトナー画像を記録材Ｓに転写し、定着部５０はトナー画像を記録材Ｓに定着して、原稿Ｇの第１面の画像情報に基づく画像形成が完了する。その後、記録材Ｓは第１排紙部７０に積載される。
【００１９】
図１５は、画像情報に基づく画像を原稿に印刷することを説明するための図である。原稿Ｇに画像を印刷する場合には、原稿Ｇは搬送ローラ４２及び搬送ローラ４０によって転写部１５に搬送される。ほぼ同時に、発光部２１は、画像メモリに記憶された画像情報に基づいてレーザ光を感光ドラム１０の表面に照射し、画像情報に基づく潜像画像が感光ドラム１０の表面に形成される。転写部１５は、潜像画像により形成されたトナー画像を原稿Ｇに転写し、定着部５０はトナー画像を原稿Ｇに定着する。そのあと、原稿Ｇは第１排紙部７０に積載される。
【００２０】
以下では、感光ドラム１０、現像ローラ１１、転写部１５、定着部５０など、印刷に係るユニットを印刷部と総称する。
【００２１】
図８は、画像形成装置１のハードウェアを示す図である。また、図８を用いて画像形成装置１の電装８００を説明する。図８には、制御ＣＰＵ８０１（以下、ＣＰＵ８０１）によって制御される各ユニットが記載されている。
【００２２】
ＣＰＵ８０１は、ポリゴンミラー、モータ及びレーザ発光素子などを含む発光部２１にＡＳＩＣ８０２を介して接続している。感光ドラム１０の表面にレーザ光を走査して所望の潜像画像を形成するために、ＣＰＵ８０１はＡＳＩＣ８０２に制御信号を送信して、発光部２１を制御する。また、記録材Ｓを搬送するために、ＣＰＵ８０１はＡＳＩＣ８０２に制御信号を送信して、メインモータ８３０、両面駆動モータ８４０などの駆動系を制御する。メインモータ８３０は、ＣＳＴピックアップローラ３１、搬送ローラ４０、感光ドラム１０、転写部１５、加熱ローラ５１、加圧ローラ５２などを駆動する。両面駆動モータ８４０はＣＩＳピックアップローラ９１と搬送ローラ４１〜４４を駆動する。
【００２３】
ＣＰＵ８０１は、電子写真プロセスに必要な帯電、現像、転写などを制御する高電圧電源ユニット８１０と、定着を制御する低電圧電源ユニット８１１とを制御する。さらに、ＣＰＵ８０１は、定着部５０に設けられたサーミスタ（不図示）により温度をモニタし、定着温度を一定に保つための制御を行う。
【００２４】
ＣＰＵ８０１は、バス等を介してプログラムメモリ８０３に接続している。プログラムメモリ８０３には、ＣＰＵ８０１によって行われる処理の全てまたは一部を実行するためのプログラム及びデータが格納されている。すなわち、ＣＰＵ８０１はプログラムメモリ８０３に格納されたプログラム及びデータを用いて、以下で説明する処理を実行する。
【００２５】
ＡＳＩＣ８０２は、ＣＰＵ８０１の指示に基づいて発光部２１内部のモータの速度制御、メインモータ８３０の速度制御、両面駆動モータ８４０の速度制御を行う。モータの速度制御では、モータからのタック信号を検出して、タック信号の間隔が所定の時間となるように加速信号または減速信号をモータに送信する。タック信号とは、モータが回転するごとにモータから出力されるパルス信号である。ＡＳＩＣ８０２を用いることにより、ＣＰＵ８０１の制御負荷の低減が図られるというメリットがある。
【００２６】
ＣＰＵ８０１は操作部８０５と接続している。操作部８０５は、タッチパネルなどの表示部、操作キーを有している。ＣＰＵ８０１は操作画面を表示するよう操作部８０５を制御したり、ユーザからの指示を操作部８０５を介して受信したりする。
【００２７】
図１４は、操作部８０５の一例を示す図である。表示部１４０１は、タッチパネルシートが貼られた液晶ディスプレイから構成されていて、操作画面やソフトキーを表示する。表示部１４０１は、ソフトキーが押下されると、押下された位置を示す位置情報をＣＰＵ８０１に送信する。ＣＰＵ８０１はその位置情報に基づいて、ユーザの指示を判別する。
【００２８】
キーボード１４０７はテンキー１４０２、ストップキー１４０４、ユーザモードキー１４０５、スタートキー１４０６を有する。テンキー１４０２は、数字と文字を入力するためのキーであり、コピー部数の設定や画面の切り替えで使われる。ストップキー１４０４は、稼働中の動作を止めるためのキーである。ユーザモードキー１４０５は、画像形成装置１の設定を行うためのキーである。スタートキー１４０６は、画像の読み取りの開始や印刷の開始を指示するためのキーである。
【００２９】
スタートキー１４０６の中央には、２色ＬＥＤ１４０３がある。ＬＥＤ１４０３が緑色であるときはスタートキー１４０６が使えることを示す。ＬＥＤ１４０３が赤色であるときはスタートキー１４０６が使えないことを示す。
【００３０】
ＣＰＵ８０１は、コピーの指示を操作部８０５から受信した場合、あるいはホストコンピュータからプリントコマンドを受信した場合、メインモータ８３０、両面駆動モータ８４０を駆動させて、記録材を搬送する。感光ドラム１０の表面に形成されたトナー画像が転写部１５によって記録材に転写されて、トナー画像が定着部５０によって記録材Ｓに定着された後、記録材は第１排紙部７０に排出される。画像形成済みの記録材の整列性を高めるため、第１排紙部７０には、排紙口付近から記録材の排出方向に向けてゆるやかな上がり勾配が設けられている。ＣＰＵ８０１は、定着部５０に所定の電力を供給するよう低電圧電源ユニット８１１を制御し、定着部５０は所定の熱量を発生して、その熱量を記録材に与え、記録材上のトナー画像を融着させ、トナー画像を記録材に定着させる。
【００３１】
ＣＰＵ８０１は、コピーの指示を操作部８０５から受信した場合、あるいはホストコンピュータからスキャンコマンドを受信した場合、両面駆動モータ８４０を駆動させる。両面駆動モータ８４０のトルクがＣＩＳピックアップローラ９１に伝達されて、ＣＩＳピックアップローラ９１は原稿を搬送する。画像読取部１００は信号線９０２、９０３、９１０、９１２、９１３及び９１４を介してＡＳＩＣ８０２と接続している。ＡＳＩＣ８０２は、ＣＰＵ８０１の指示に従って、画像読取部１００を制御して、画像読取部１００で読み取られた画像情報を画像メモリ８０４に格納する。
【００３２】
図９は画像読取部１００の詳細を説明する図である。図９では、ＣＩＳ（Ｃｏｎｔａｃｔ  Ｉｍａｇｅ  Ｓｅｎｓｏｒ）の回路ブロックを示している。コンタクトイメージセンサ９０１では、例えば１０３６８画素分のフォトダイオードが特定の主走査密度（例えば１２００ｄｐｉ）でアレイ状に配置されている。
【００３３】
画像読取部１００は、スタートパルス信号（ＣＩＳＳＴＡＲＴ）９０２、発光素子制御信号（ＣＩＳＬＥＤ）９０３、Ｓｌ＿ｉｎ信号９１２、Ｓｌ＿ｓｅｌｅｃｔ信号９１３、ＣＩＳの動作速度を決めるシステムクロック（ＳＹＳＣＬＫ）９１４を受信する。また、画像読取部１００は、Ｓｌ＿ｏｕｔ信号９１０を送信する。
【００３４】
発光素子９０７は、電流増幅部９０６によって増幅された電流に基づいて発光し、原稿Ｇを均一に照射する。
【００３５】
ＣＩＳＳＴＡＲＴ信号９０２がアクティブになると、コンタクトイメージセンサ９０１は、受けた光に基づく電荷の蓄積を開始し、出力バッファ９０４にデータを順次セットする。転送クロック（ＣＩＳＣＬＫ）９１５（例えば５００ｋＨｚから１ＭＨｚ）がシフトレジスタ９０５に与えられると、シフトレジスタ９０５は、出力バッファ９０４にセットされたデータをＣＩＳＳＮＳ信号９１８としてＡ／Ｄコンバータ９０８に転送する。
【００３６】
ＣＩＳＳＮＳ信号９１８には所定のデータ保障領域があるため、転送クロック９１５の立ち上がりタイミングから所定の時間が経過したのちにＣＩＳＳＮＳ信号９１８のサンプリングが行われる。ＣＩＳＳＮＳ信号９１８は、転送クロック９１５の立ち上がりと立ち下りの双方のエッジに同期して出力される。Ａ／Ｄコンバータのサンプリング速度を決定するＣＩＳサンプリングクロック（ＡＤＣＬＫ）９１６の周波数は転送クロック９１５の２倍となるように生成される。そして、ＣＩＳサンプリングクロック９１６の立ち上がりのエッジにてＣＩＳＳＮＳ信号９１８がサンプリングされる。タイミングジェネレータ９１７はシステムクロック９１４を分周して、ＣＩＳサンプリングクロック９１６及び転送クロック９１５を生成する。ＣＩＳサンプリングクロック９１６の位相は、転送クロック９１５と比べて、データ保障領域分だけ遅延している。
【００３７】
Ａ／Ｄコンバータ９０８でデジタル変換されたＣＩＳＳＮＳ信号９１８は、出力インターフェース回路９０９によって所定のタイミングでＳｌ＿ｏｕｔ信号９１０として送信される。Ｓｌ＿ｏｕｔ信号９１０はシリアルデータである。その際、ＣＩＳＳＴＡＲＴ信号９０２から所定画素数分のＣＩＳＳＮＳ信号９１８は、アナログ出力基準電圧であるため、有効画素としては使用されない。
【００３８】
制御回路９１１は、Ｓｌ＿ｉｎ信号９１２及びＳｌ＿ｓｅｌｅｃｔ信号９１３に従ってＡ／Ｄコンバータ９０８のＡ／Ｄ変換ゲインを可変に制御することができる。例えば、撮像された画像のコントラストが適切に得られない場合、ＣＰＵ８０１は、Ａ／Ｄコンバータ９０８のＡ／Ｄ変換ゲインを大きくするよう制御回路９１１に指示し、コントラストを増加させる。これにより、画像を最良なコントラストで撮影することができる。
【００３９】
図９では、全ての画素が一つずつＣＩＳＳＮＳ信号９１８として出力される例を説明した。しかし、画像を高速で読み取るために、複数画素をエリアごとに分割して、複数のエリアを並行してＡ／Ｄ変換してもよい。また、図９では、ＣＩＳを画像読取部１００に用いた。しかし、ＣＭＯＳセンサやＣＣＤセンサを画像読取部１００に用いてもよい。
【００４０】
図１０は、画像形成装置１で実行される印刷処理のフローチャートである。本実施形態では、ＣＰＵ８０１がフローチャートに基づく制御プログラムを実行することにより、下記の印刷処理が実行される。
【００４１】
ＣＰＵ８０１は、コピーのための設定画面を表示部１４０１に表示させる（Ｓ１００１）。
【００４２】
図１１は、コピーのための設定画面の一例を示す図である。この設定画面は表示部１４０１に表示される。ユーザはキー１１１０〜１１１２を押下して、カラーまたはモノクロの選択、倍率の設定、確認印刷の指定を行うことができる。また、ユーザはキー１１２０〜１１２３を押下して、ページ番号の印字の指定、日付印字の指定、スタンプの印字の指定、バーコードの印字の指定を行うことができる。ユーザは、テンキー１４０２を押下して、コピー部数を設定することもできる。図１１の設定画面では、コピー部数は１に設定されている。確認印刷とは、印刷結果を予め確認するための印刷である。
【００４３】
ユーザがスタートキー１４０６を押下すると、ＣＰＵ８０１は原稿の画像を画像読取部１００に読み取らせる（Ｓ１００２）。原稿が第２給紙部９０から搬送されて、画像読取部１００は原稿の画像を読み取る。ＣＰＵ８０１は、画像読取部１００で読み取られた画像情報から、Ｓ１００１で行われた設定に応じた印刷用画像情報を生成して、印刷用画像情報を画像メモリ８０４に格納する（Ｓ１００３）。
【００４４】
ＣＰＵ８０１は、設定画面で確認印刷が指定されているかどうかを判断する（Ｓ１００４）。確認印刷が指定されている場合、ＣＰＵ８０１は印刷用画像情報に基づく画像を印刷部に印刷させる（Ｓ１００５）。記録材が第１給紙部３０から搬送されて、印刷部は印刷用画像情報に基づく画像を記録材に印刷する。その後、記録材はフェースダウンで第１排紙部７０に排出される。
【００４５】
確認印刷がＳ１００５で行われている間、ＣＰＵ８０１は確認印刷中であることを示す画面を表示部１４０１に表示させる。図１２は、確認印刷中であることを示す画面の一例である。この画面が表示されている間は、ユーザは設定画面を操作することができない。確認印刷が終わると、ＣＰＵ８０１は確認画面を表示部１４０１に表示させる。図１３は、その確認画面の一例を示す図である。ユーザは、確認印刷の結果を見て、追加の設定を行う必要があると判断した場合には、キー１３１１を押下する。追加の設定を必要としないと判断した場合には、キー１３１２を押下する。
【００４６】
ＣＰＵ８０１は、追加の設定を行うことが選択されたかどうかを判断する（Ｓ１００６）。追加の設定を行うことが選択されている場合には、ＣＰＵ８０１は、図１１の設定画面を表示部１４０１に表示させる（Ｓ１００７）。Ｓ１００７では、ユーザはキー１１２０〜１１２３を押下して、ページ番号の印字の指定、日付印字の指定、スタンプの印字の指定、バーコードの印字の指定を追加することができる。
【００４７】
ユーザが追加の設定を行うと、表示部１４０１は、第１排紙部７０に積載されている記録材を第２給紙部９０にセットするようユーザに促すメッセージを表示する。ユーザは、第１排紙部７０に積載されている記録材をフェースアップで第２給紙部９０にセットして、スタートキー１４０６を押下する。
【００４８】
ユーザが追加の設定を行ってスタートキー１４０６を押下すると、ＣＰＵ８０１は、追加の設定に対応する印刷用画像情報を生成する（Ｓ１００８）。例えば、ページ番号の印字が追加された場合、ページ番号を示す印刷用画像情報を生成する。また、スタンプの印字が追加された場合、スタンプを示す印刷用画像情報を生成する。
【００４９】
ＣＰＵ８０１は、Ｓ１００８で生成した印刷用画像情報に基づく画像を、Ｓ１００５で印刷済みの記録材に印刷するよう印刷部を制御する（Ｓ１００９）。Ｓ１００９では、Ｓ１００５で印刷済みの記録材が第２給紙部９０に置かれて第２給紙部９０から搬送される。印刷部はＳ１００８で生成した印刷用画像情報に基づく画像を記録材に印刷する。続いて、ＣＰＵ８０１は、Ｓ１００３で生成した画像情報とＳ１００８で生成した画像情報を合成して、印刷用画像情報を生成する（Ｓ１０１０）。そして、ＣＰＵ８０１は、Ｓ１０１０で生成した印刷用画像情報に基づく画像を印刷するよう印刷部を制御する（Ｓ１０１１）。Ｓ１０１１では、記録材が第１給紙部３０から搬送されて、印刷部はＳ１０１０で生成した印刷用画像情報に基づく画像を記録材に印刷する。また、Ｓ１０１１では、Ｓ１０１１で設定されたコピー部数から１を引いた残りのコピー部数が印刷される。
【００５０】
確認印刷が指定されていない場合には、ＣＰＵ８０１はＳ１００４からＳ１０１２に進む。そして、ＣＰＵ８０１は、Ｓ１００３で生成した印刷用画像情報に基づく画像を印刷部に印刷させる（Ｓ１０１２）。記録材が第１給紙部３０から搬送されて、印刷部はＳ１００３で生成した印刷用画像情報に基づく画像を記録材に印刷する。Ｓ１０１２では、Ｓ１０１１で設定されたコピー部数が印刷される。
【００５１】
追加の設定を行うことが選択されなかった場合、つまり図１３のキー１３１２が押下された場合、ＣＰＵ８０１はＳ１００６からＳ１０１３に進む。そして、ＣＰＵ８０１は、Ｓ１００３で生成した印刷用画像情報に基づく画像を印刷部に印刷させる（Ｓ１０１３）。記録材が第１給紙部３０から搬送されて、印刷部はＳ１００３で生成した印刷用画像情報に基づく画像を記録材に印刷する。Ｓ１０１３では、Ｓ１０１１で設定されたコピー部数から１を引いた残りのコピー部数が印刷される。記録材は第１排紙部７０に排出される。
【００５２】
Ｓ１００９では、追加の設定に応じた画像をＳ１００５で印刷済みの記録材に印刷するので、追加の設定が行われたにもかかわらず、追加の設定がＳ１００５で印刷済みの記録材に反映される。よって、Ｓ１００５で印刷済みの記録材を無駄にすることがない。
【００５３】
＜第２の実施形態＞
第２の実施形態を図１６〜１８を用いて説明する。画像形成装置１のハードウェアは図１〜９及び図１５で説明したとおりである。
【００５４】
図１６は、画像形成装置１で実行される印刷処理のフローチャートである。本実施形態では、ＣＰＵ８０１がフローチャートに基づく制御プログラムを実行することにより、下記の印刷処理が実行される。
【００５５】
第２の実施形態では、印刷設定が外部装置によって行われる。外部装置は、ホストコンピュータやパーソナルコンピュータなどである。図１７は、外部装置で表示される設定画面の一例を示す図である。プリンタドライバ等のソフトウェアが外部装置のＣＰＵによって実行されて、図１７のような設定画面を表示する。ユーザは、表示領域１７０１において、用紙サイズの指定、部数の指定、倍率の指定、スタンプの印刷の指定などを行う。また、ユーザはチェックボックス１７０２にチェックを入れることで、確認印刷を指定する。ユーザがＯＫボタン１７０３を押下すると、外部装置は、印刷データと印刷設定を示す印刷設定情報とを画像形成装置１に送信する。
【００５６】
ＣＰＵ８０１は、外部装置から印刷データ及び印刷設定情報を受信する（Ｓ１６０１）。ＣＰＵ８０１は印刷データと印刷設定情報から、印刷設定に応じた印刷用画像情報を生成して、印刷用画像情報を画像メモリ８０４に格納する（Ｓ１６０２）。
【００５７】
ＣＰＵ８０１は、確認印刷が指定されているかどうかを印刷設定情報に基づいて判断する（Ｓ１６０３）。確認印刷が指定されている場合、ＣＰＵ８０１は印刷用画像情報に基づく画像を印刷部に印刷させる（Ｓ１６０４）。記録材が第１給紙部３０から搬送されて、印刷部は印刷用画像情報に基づく画像を記録材に印刷する。その後、記録材はフェースダウンで第１排紙部７０に排出される。
【００５８】
確認印刷がＳ１６０４で行われている間、ＣＰＵ８０１は確認印刷中であることを示す画面を表示部１４０１に表示させる。図１２は、確認印刷中であることを示す画面の一例である。この画面が表示されている間は、ユーザは設定画面を操作することができない。確認印刷が終わると、ＣＰＵ８０１は確認画面を表示部１４０１に表示させる。図１３は、その確認画面の一例を示す図である。ユーザは、確認印刷の結果を見て、追加の設定を行う必要があると判断した場合には、キー１３１１を押下する。追加の設定を必要としないと判断した場合には、キー１３１２を押下する。
【００５９】
ＣＰＵ８０１は、追加の設定を行うことが選択されたかどうかを判断する（Ｓ１６０５）。追加の設定を行うことが選択されている場合には、ＣＰＵ８０１は、図１１の設定画面を表示部１４０１に表示させる（Ｓ１６０６）。Ｓ１６０６では、ユーザはキー１１２０〜１１２３を押下して、ページ番号の印字の指定、日付印字の指定、スタンプの印字の指定、バーコードの印字の指定を追加することができる。
【００６０】
ユーザが追加の設定を行うと、表示部１４０１は、第１排紙部７０に積載されている記録材を第２給紙部９０にセットするようユーザに促すメッセージを表示する。ユーザは、第１排紙部７０に積載されている記録材をフェースアップで第２給紙部９０にセットして、スタートキー１４０６を押下する。
【００６１】
ユーザが追加の設定を行ってスタートキー１４０６を押下すると、ＣＰＵ８０１は、第２給紙部９０にセットされた記録材の画像を画像読取部１００に読み取らせる（Ｓ１６０７）。Ｓ１６０７では、記録材が第２給紙部９０から搬送され、画像読取部１００は記録材の画像を読み取る。そして、ＣＰＵ８０１は、Ｓ１６０２で生成した画像情報とＳ１６０７で読み取られた画像情報とが対応するを判断する（Ｓ１６０８）。
【００６２】
Ｓ１６０２で生成した画像情報とＳ１６０７で読み取られた画像情報とが対応しなければ、ＣＰＵ８０１は、Ｓ１６０４で印刷済みの記録材とは異なる記録材が第２給紙部９０に置かれたと判断して、警告画面を表示部１４０１に表示させる（Ｓ１６０９）。
【００６３】
図１８は、警告画面の一例を示す図である。警告画面１８０１は、適切な用紙をセットするようユーザに促すメッセージを表示する。ユーザは、適切な用紙を第２給紙部９０にセットして、ＯＫキー１８０２を押下して、印刷の再開を指示する。ＯＫキー１８０２が押下されると、ＣＰＵ８０１はあらためて、第２給紙部９０にセットされた記録材の画像を画像読取部１００に読み取らせる（Ｓ１６０７）。
【００６４】
Ｓ１６０２で生成した画像情報とＳ１６０７で読み取られた画像情報とが対応すれば、ＣＰＵ８０１は、追加の設定に対応する印刷用画像情報を生成する（Ｓ１６１０）。例えば、ページ番号の印字が追加された場合、ページ番号を示す印刷用画像情報を生成する。また、スタンプの印字が追加された場合、スタンプを示す印刷用画像情報を生成する。そして、ＣＰＵ８０１は、Ｓ１６０７で読み取られた記録材を印刷部に搬送するように搬送ローラ４２や搬送ローラ４０などを制御して、印刷用画像情報に基づく画像を記録材に印刷するよう印刷部を制御する（Ｓ１６１１）。なお、印刷用画像情報を生成するのに時間がかかるようであれば、追加の設定に対応する印刷用画像情報を生成してから、記録材の画像の読み取りを開始してもよい。
【００６５】
続いて、ＣＰＵ８０１は、Ｓ１６０２で生成した画像情報とＳ１６１０で生成した画像情報を合成して、印刷用画像情報を生成する（Ｓ１６１２）。そして、ＣＰＵ８０１は、Ｓ１６１２で生成した印刷用画像情報に基づく画像を印刷するよう印刷部を制御する（Ｓ１６１３）。Ｓ１６１３では、記録材が第１給紙部３０から搬送されて、印刷部は印刷用画像情報に基づく画像を記録材に印刷する。また、Ｓ１６１３では、印刷設定情報で指定された部数から１を引いた残りの部数が印刷される。
【００６６】
確認印刷が指定されていない場合には、ＣＰＵ８０１はＳ１６０３からＳ１６１４に進む。そして、ＣＰＵ８０１は、Ｓ１６０２で生成した印刷用画像情報に基づく画像を印刷部に印刷させる（Ｓ１６１４）。記録材が第１給紙部３０から搬送されて、印刷部は印刷用画像情報に基づく画像を記録材に印刷する。Ｓ１６１４では、印刷設定情報で指定された部数が印刷される。
【００６７】
追加の設定を行うことが選択されなかった場合、つまり図１３のキー１３１２が押下された場合、ＣＰＵ８０１はＳ１６０５からＳ１６１５に進む。そして、ＣＰＵ８０１は、Ｓ１６０２で生成した印刷用画像情報に基づく画像を印刷部に印刷させる（Ｓ１６１５）。記録材が第１給紙部３０から搬送されて、印刷部は印刷用画像情報に基づく画像を記録材に印刷する。Ｓ１６１５では、印刷設定情報で指定された部数から１を引いた残りの部数が印刷される。
【００６８】
第２実施形態では、外部装置からの印刷データに基づく印刷が行われる。しかしながら、原稿のコピーでＳ１６０７〜Ｓ１６０９の処理が行われてもよい。
【００６９】
＜第３の実施形態＞
第３の実施形態を図１９及び２０を用いて説明する。画像形成装置１のハードウェアは図１〜９及び図１５で説明したとおりである。
【００７０】
図１９及び２０は、画像形成装置１で実行される印刷処理のフローチャートである。本実施形態では、ＣＰＵ８０１がフローチャートに基づく制御プログラムを実行することにより、下記の印刷処理が実行される。
【００７１】
図１９のフローチャートは、図１６のフローチャートにＳ１９０１〜Ｓ１９０３を追加したものである。
【００７２】
Ｓ１６０２で生成した画像情報とＳ１６０７で読み取られた画像情報とが対応しなければ、ＣＰＵ８０１は、Ｓ１６０４で印刷済みの記録材とは異なる記録材が第２給紙部９０に置かれたと判断して、警告画面を表示部１４０１に表示させる（Ｓ１９０１）。
【００７３】
図２１は、Ｓ１９０１で表示される警告画面の一例を示す図である。警告画面２１０１は、適切な用紙をセットするようユーザに促すメッセージを表示する。ユーザは、Ｓ１６０４で印刷済みの記録材への印刷を先に行いたい場合には、記録材を第２給紙部９０にセットして、ＯＫキー１８０２を押下して、印刷の再開を指示する。ユーザが、Ｓ１６０４で印刷済みの記録材への印刷を最後に行いたい場合には、キー２１０３を押下する。
【００７４】
ＣＰＵ８０１は、キー２１０３が押下されたかどうかを判断する（ステップＳ１９０２）。ＯＫキー１８０２が押下された場合には、ＣＰＵ８０１はあらためて、第２給紙部９０にセットされた記録材の画像を画像読取部１００に読み取らせる（Ｓ１６０７）。キー２１０３が押下された場合には、ＣＰＵ８０１は、図２０のフローチャートに移行する。
【００７５】
図２０において、ＣＰＵ８０１は、追加の設定に対応する印刷用画像情報を生成する（Ｓ２００１）。例えば、ページ番号の印字が追加された場合、ページ番号を示す印刷用画像情報を生成する。また、スタンプの印字が追加された場合、スタンプを示す印刷用画像情報を生成する。ＣＰＵ８０１は、Ｓ１６０２で生成した画像情報を複製して、複製された画像情報とＳ２００１で生成した画像情報を合成して、印刷用画像情報を生成する（Ｓ２００２）。そして、ＣＰＵ８０１は、Ｓ２００２で生成した印刷用画像情報に基づく画像を印刷するよう印刷部を制御する（Ｓ２００３）。Ｓ２００３では、記録材が第１給紙部３０から搬送されて、印刷部は印刷用画像情報に基づく画像を記録材に印刷する。また、Ｓ２００３では、印刷設定情報で指定された部数から１を引いた残りの部数が印刷される。
【００７６】
ＣＰＵ８０１は、Ｓ１６０４で印刷済みの記録材を第２給紙部９０にセットするようユーザに促すメッセージを表示部１４０１に表示させる（Ｓ２００４）。
【００７７】
ユーザが記録材を第２給紙部９０にセットしてスタートキー１４０６を押下すると、ＣＰＵ８０１は、第２給紙部９０にセットされた記録材の画像を画像読取部１００に読み取らせる（Ｓ２００５）。Ｓ２００５では、記録材が第２給紙部９０から搬送され、画像読取部１００は記録材の画像を読み取る。そして、ＣＰＵ８０１は、Ｓ１６０２で生成した画像情報とＳ２００５で読み取られた画像情報とが対応するかを判断する（Ｓ２００６）。
【００７８】
Ｓ１６０２で生成した画像情報とＳ２００５で読み取られた画像情報とが対応しなければ、ＣＰＵ８０１は、Ｓ１６０４で印刷済みの記録材とは異なる記録材が第２給紙部９０に置かれたと判断して、警告画面を表示部１４０１に表示させる（Ｓ２００７）。図１８は、警告画面の一例を示す図である。
【００７９】
ＯＫキー１８０２が押下されると、ＣＰＵ８０１はあらためて、第２給紙部９０にセットされた記録材の画像を画像読取部１００に読み取らせる（Ｓ２００５）。
【００８０】
Ｓ１６０２で生成した画像情報とＳ２００５で読み取られた画像情報とが対応すれば、ＣＰＵ８０１は、追加の設定に対応する印刷用画像情報を生成する（Ｓ２００８）。例えば、ページ番号の印字が追加された場合、ページ番号を示す印刷用画像情報を生成する。また、スタンプの印字が追加された場合、スタンプを示す印刷用画像情報を生成する。そして、ＣＰＵ８０１は、Ｓ２００５で読み取られた記録材を印刷部に搬送するように搬送ローラ４２や搬送ローラ４０などを制御して、印刷用画像情報に基づく画像を記録材に印刷するよう印刷部を制御する（Ｓ２００９）。
【００８１】
第３実施形態では、外部装置からの印刷データに基づく印刷が行われる。しかしながら、原稿のコピーでＳ１９０１〜Ｓ１９０３の処理が行われてもよい。
【００８２】
＜第４実施形態＞
第４の実施形態を図２２を用いて説明する。画像形成装置１のハードウェアは図１〜９及び図１５で説明したとおりである。
【００８３】
図２２は、画像形成装置１で実行される印刷処理のフローチャートである。本実施形態では、ＣＰＵ８０１がフローチャートに基づく制御プログラムを実行することにより、下記の印刷処理が実行される。
【００８４】
ＣＰＵ８０１は、コピーのための設定画面を表示部１４０１に表示させる（Ｓ１００１）。
【００８５】
図１１は、コピーのための設定画面の一例を示す図である。この設定画面は表示部１４０１に表示される。ユーザはキー１１１０〜１１１２を押下して、カラーやモノクロの選択、倍率の設定、確認印刷の指定を行うことができる。また、ユーザはキー１１２０〜１１２３を押下して、ページ番号の印字の指定、日付印字の指定、スタンプの印字の指定、バーコードの印字の指定を行うことができる。ユーザは、テンキー１４０２を押下して、コピー部数を設定することもできる。図１１の設定画面では、コピー部数は１に設定されている。
【００８６】
ユーザがスタートキー１４０６を押下すると、ＣＰＵ８０１は、ページ番号、日付、スタンプまたはバーコードに対応する印刷用画像情報を生成して、印刷用画像情報を画像メモリ８０４に格納する（Ｓ２２０２）。例えば、ページ番号の印字が指定された場合、ページ番号を示す印刷用画像情報を生成する。また、スタンプの印字が指定された場合、スタンプを示す印刷用画像情報を生成する。
【００８７】
ＣＰＵ８０１は原稿の画像を画像読取部１００に読み取らせる（Ｓ２２０３）。原稿が第２給紙部９０から搬送されて、画像読取部１００は原稿の画像を読み取る。ＣＰＵ８０１は、画像読取部１００で読み取られた画像情報から、Ｓ２２０１で行われた設定に応じた印刷用画像情報を生成して、印刷用画像情報を画像メモリ８０４に格納する（Ｓ２２０４）。
【００８８】
そして、ＣＰＵ８０１は、原稿を画像読取部１００から印刷部に搬送するように搬送ローラ４２や搬送ローラ４０などを制御して、Ｓ２２０２で生成した印刷用画像情報に基づく画像を原稿に印刷するよう印刷部を制御する（Ｓ２２０５）。
【００８９】
さらに、ＣＰＵ８０１は、Ｓ２２０４で生成した印刷用画像情報に基づく画像を印刷するよう印刷部を制御する（Ｓ２２０６）。Ｓ２２０６では、記録材が第１給紙部３０から搬送されて、印刷部は印刷用画像情報に基づく画像を記録材に印刷する。
【００９０】
ページ番号や日付が印刷されていない原稿から、ページ番号や日付が印刷された印刷物を２部用意するためには、従来は、２部の印刷物を新たに生成する必要があった。一方、第４の実施形態では、ページ番号や日付が原稿にも印刷されるため、１部の印刷物を新たに生成するだけでよい。原稿を有効活用することにより、記録材の使用を軽減することができる。
【００９１】
＜その他の実施形態＞
本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【００９２】
また、図１０、１６、１９、２０または２１のフローチャートに基づく処理を実行するよう設計された制御回路がＣＰＵ８０１の代わりに用いられていてもよい。
【符号の説明】
【００９３】
１  画像形成装置
２  光学ユニット
１０  感光ドラム
１１  現像ローラ
１５  転写部
５０  定着部
８０１  ＣＰＵ
８０２  ＡＳＩＣ
８０３  プログラムメモリ
８０４  画像メモリ
８０５  操作部
【図１】
2013236179.tif 000003
【図２】
2013236179.tif 000004
【図３】
2013236179.tif 000005
【図４】
2013236179.tif 000006
【図５】
2013236179.tif 000007
【図６】
2013236179.tif 000008
【図７】
2013236179.tif 000009
【図８】
2013236179.tif 000010
【図９】
2013236179.tif 000011
【図１０】
2013236179.tif 000012
【図１１】
2013236179.tif 000013
【図１２】
2013236179.tif 000014
【図１３】
2013236179.tif 000015
【図１４】
2013236179.tif 000016
【図１５】
2013236179.tif 000017
【図１６】
2013236179.tif 000018
【図１７】
2013236179.tif 000019
【図１８】
2013236179.tif 000020
【図１９】
2013236179.tif 000021
【図２０】
2013236179.tif 000022
【図２１】
2013236179.tif 000023
【図２２】
2013236179.tif 000024